(57)【要約】【課題】  ベッド下の空間を多用途に自由に使用でき、必要に応じて机を使用することができる机付ベッドを提供する。【解決手段】  前記空き空間上部に所定形状の天板を水平方向に回転可能に枢着しているので、使用者が必要に応じて天板を引き出すことで枢着部分を中心として天板がベッド下から表出して机として機能すると共に、使用後においては天板を押し込むことで枢着部分を中心として天板がベッド下に収納され、ベッド下の空き空間を有効に使用することができる。【選択図】  図１
2006102341.tif 000002
【特許請求の範囲】
【請求項１】
複数の板材を組み合わせて上段をベッドとし、下段を空き空間とするベッド本体と、
前記空き空間上部に所定形状の天板を水平方向に回動可能に枢着される机とを備えることを
特徴とする机付ベッド。
【請求項２】
前記請求項１に記載の机付ベッドにおいて、
前記下段の空き空間上部の四隅の少なくとも一隅に前記天板を取り付け可能であることを
特徴とする机付ベッド。
【請求項３】
前記請求項１または２に記載の机付ベッドにおいて、
枢着部分を中心とした場合の前記天板の外周端方向であって底面側にキャスター付き脚を配設したことを
特徴とする机付ベッド。
【請求項４】
前記請求項１ないし３のいずれかに記載の机付ベッドにおいて、
前記天板に挿通孔を形成し、前記ベッド本体の上段ベッド下面に先端部に螺子穴を有する支持軸の基端部を固着し、
前記支持軸を天板の挿通孔に挿通させて螺子穴に固定螺子を螺合して前記天板をベッド本体に枢着することを
特徴とする机付ベッド。
【請求項５】
前記請求項１ないし４のいずれかに記載の机付ベッドにおいて、
前記天板の枢着部分が、机付ベッド本体部分から脱着可能であることを
特徴とする机付ベッド。
【発明の詳細な説明】
【技術分野】
【０００１】
本発明は、ベッドとしての機能だけでなく机としての機能を有する机付ベッドに関する。
【背景技術】
【０００２】
背景技術の机付ベッドとしては、特開２００４−２４４２５号公報に開示されるものがある。このベッドは、ベッドと机の組合せ家具であって、上段をベッド部とするとともに、下段を作業空間部とし、該作業空間部に机を配してなるベッドと机の組合せ家具であって、前記ベッド部の四隅を支持する４本の支柱のうち、正面側の一対の支柱間を開放部とし、他の支柱間を上下に間隔を置いて複数の横桟で連結するとともに、該横桟を利用して棚板等のオプションを係止可能としてなる構成である。
【０００３】
この構成によれば、同一の設置空間に少なくともベッドと机の機能を備えさせて、省スペース化を図ることができると共に、各機能の家具は本来の使用利便性を確保しつつ、それらを複合化したことによって、ベッドを支持するための支柱に渡設した横桟を、棚板等のオプションを係止するために利用するといった新たな使用態様を実現できる
【特許文献１】特開２００４−２４４２５号公報
【発明の開示】
【発明が解決しようとする課題】
【０００４】
しかしながら、前記背景技術は以上のように構成され、ベッド下の空間の大部分が机に占有され、他の用途に使用することができないという課題を有する。すなわち、机は常に必要があるわけでなく、必要に応じて使用できればよい。また、背景技術では、子供の成長がある程度進むと、ベッド下の空間は狭くなり、結局ベッド下から机を出して使うしかないという課題を有する。
【０００５】
本発明は前記課題を解決するためになされたものであり、ベッド下の空間を多用途に自由に使用でき、必要に応じて机を使用することができる机付ベッドを提供することを目的とする。
【課題を解決するための手段】
【０００６】
本発明に係る机付ベッドは、複数の板材を組み合わせて上段をベッドとし、下段を空き空間とするベッド本体と、前記空き空間上部に所定形状の天板を水平方向に回動可能に枢着される机とを備えるものである。このように本発明においては、前記空き空間上部に所定形状の天板を水平方向に回動可能に枢着しているので、使用者が必要に応じて天板を引き出すことで枢着部分を中心として天板がベッド下から表出して机として機能すると共に、使用後においては天板を押し込むことで枢着部分を中心として天板がベッド下に収納され、ベッド下の空き空間を有効に使用することができる。
【０００７】
また、本発明に係る机付ベッドは必要に応じて、前記下段の空き空間上部の四隅の少なくとも一隅に前記天板を取り付け可能であるものである。このように本発明においては、前記下段の空き空間上部の四隅に前記天板を取り付け可能であるので、机付ベッドの配置位置に応じて前記四隅の内適切な箇所に天板を取り付けることができる。
【０００８】
また、本発明に係る机付ベッドは必要に応じて、枢着部分を中心とした場合の前記天板の外周端方向であって底面側にキャスター付き脚を配設したものである。このように本発明においては、枢着部分を中心とした場合の前記天板の外周端方向であって底面側にキャスター付き脚を配設したので、天板が枢着部分以外に脚でも支持され安定した回動及び使用ができると共に、キャスターが付いており円滑に回動して床にキズを形成することもない。
【０００９】
また、本発明に係る机付ベッドは必要に応じて、前記天板に挿通孔を形成し、前記ベッド本体の上段ベッド下面に先端部に螺子穴を有する支持軸の基端部を固着し、前記支持軸を天板の挿通孔に挿通させて螺子穴に固定螺子を螺合して前記天板をベッド本体に枢着するものである。このように本発明においては、前記ベッド本体の上段ベッド下面に先端部に螺子穴を有する支持軸の基端部を固着し、前記支持軸を天板の挿通孔に挿通させて螺子穴に固定螺子を螺合して前記天板をベッド本体に枢着するので、前記支持軸が螺子によって螺合され、鉛直下方向に延出しておらず、下段の空き空間を最大限確保することができる。
【００１０】
また、本発明に係る机付ベッドは必要に応じて、前記天板の枢着部分が、机付ベッド本体部分から脱着可能であるものである。このように本発明においては、前記天板の枢着部分が机付ベッド本体部分から脱着可能であるので、机付ベッドの机部分の組立／解体が容易であると共に、複数箇所に天板が取り付け可能である場合には取り付け箇所を容易に変更することができる。
【発明を実施するための最良の形態】
【００１１】
（本発明の第１の実施形態）
本発明の第１の実施形態に係る机付ベッドについて、図１ないし図７に基づき説明する。図１は本実施形態に係る机付ベッドの全体斜視図、図２及び図３は本実施形態に係る机付きベッドの要部斜視図、図４は本実施形態に係る机付ベッドの平面図、正面図、右側面図及び透過図、図５は本実施形態に係る机付ベッドの天板部分の平面図、正面図、裏面図及び右側面図、図６は本実施形態に係る机付ベッドの床板及び梯子の図、図７は本実施形態に係る机付ベッドの横板説明図、並びに、図８は本実施形態に係る机付ベッドの配置図である。
【００１２】
本実施形態に係る机付ベッドは、複数の板材を組み合わせて上段をベッド１とし、下段を空き空間２とし、前記空き空間２上部に所定形状の天板３を水平方向に回動可能に枢着し、前記下段の空き空間２上部の四隅に前記天板３を取り付け可能であって、枢着部分を中心とした場合の前記天板３の外周端方向であって底面側にキャスター付き脚４を配設し、前記天板３に挿通孔３ａを形成し、前記ベッド本体１の上段ベッド下面に他端側である先端部にボルト穴５ａを有する支持軸５の一端側である基端部を固着し、前記支持軸５を天板３の挿通孔３ａに挿通させてボルト穴５ａにボルト５ｂを螺合して前記天板３をベッド本体１に枢着する構成である。
【００１３】
ベッド１の基本的構造は、上下の側面横板１０の両側に支持板１１を配置し、両側の支持板１１間に柵ポール１２を配設して一方の側面部１３を形成し、他方の側面部１３も同様に形成し、かかる両側面部１３間上部に正面横板１４及び裏面横板１５を架設し、さらに、両側面部１３間下部に固定板１６を架設している構成である。そして、両側面部１３、正面横板１４及び裏面横板１５によりベッド１の内壁をなし、正面横板１４及び裏面横板１５の内側に長手方向に床板１９を支持する床板凸部１７を設け、両側面部１３、正面横板１４及び裏面横板１５に形成される矩形の半分程度の大きさの床板１８を２枚嵌めてベッド１を構成していた。このような構成により、ベッド１下には、空き空間２が形成される。
【００１４】
柵ポール１２は正面横板１４及び裏面横板１５の上部にも形成され、使用者がベッド１から落ちることを防止している。支持板１１の上部に架設されている側面横板１０の前面には掛ポール１８が形成され、荷物を掛けることができるように支持板１１に接続して形成されている。
【００１５】
前記天板３は、図５（ａ）に示すように、扇状に所定厚みで形成され、製材品、荒材、加工材、合板、集成材等の木材を成形したものである。ここで、これら木材の代わりに、金属板等の金属材料、プラスチック・ゴムの材料で成形することもできる。天板３に限らず、前記支持板１１、側面横板１０、正面横板１４、裏面横板１５、固定板１６等も同様に成形されている。天板３は使用者がベッド１下から引き出したり、ベッド１下に押し込んだりするものであり、回動するので、できる限り軽量で、丈夫であることが好ましい。さらに、机での作業によりキズが付き易いので、傷防止のための表面加工がなされているものが好ましい。また、天板３を扇状としたのは、角が形成されず安全上好ましいからである。
【００１６】
前記床板１９は、一枚板をカットしたものでもよいが、重量の観点から、図６（ａ）に示すように、２枚の板の間に縦方向に間柱１９ａとなる角材を所定間隔で配置した構成であるものが好ましい。これは、前記床板凸部１７と間柱１９ａとの組み合わせによって、床板１９の耐久性を向上させ耐荷重を大きくしている。
【００１７】
本実施形態に係る机付ベッドは、机の高さが確保できる程度の高さが必要であり、所定高さあるため、ベッド１への上り下りが容易なように梯子３０が取り外し可能に備えられている。すなわち、梯子３０の先端がコの字状の係合部３０ａとなって正面横板１４に係合することで取り外しが可能となっている。
【００１８】
枢着は、前記した通り、前記天板３に挿通孔３ａを形成し、前記ベッド本体１の上段ベッド下面に他端側である先端部にボルト穴５ａを有する支持軸５の一端側である基端部を固着し、前記支持軸５を天板３の挿通孔３ａに挿通させてボルト穴５ａにボルト５ｂを螺合してなされている（図２及び図３参照）。ボルト５ｂが螺合することにより、ボルト面（ワッシャを介在させている場合はワッシャ面）で天板３を支持している。支持軸の一端側は、図４（ａ）（ｄ）に示すように、支持板１１と正面横板１４に沿ってコーナー金部の如く形成され、ネジにて固定されている。前記下段の空き空間２上部の四隅に前記天板３を取り付け可能であるのは、かかる四隅に前記支持軸５の一端側のネジ孔に対応してネジ穴が形成されているからである。
【００１９】
前記キャスター付き脚４が枢着部分を中心とした場合の前記天板３の外周端方向であって底面側に配設されている。キャスター付き脚を構成する軸部４ａは、例えば、金属パイプからなり、一端を歪曲に加工され、歪曲部分で天板３にネジにて固定している。軸部４
ａの他端の先端にプラスタイプのキャスター４ｂがネジにて固定されている。当然に、双輪タイプのキャスターを用いてもよい。ここで、金属パイプを軸部４ａに用いたのは、中空であって軽量であり、且つ、丈夫であるからである。
【００２０】
次に、本実施形態に係る机付ベッドの使用動作について説明する。予め、机付ベッドの配置を決め、組み立てる必要がある。組立は基本的には施工者が行うものであるが、木材の組み合わせ、ネジ締め等の簡単な作業であるため、購入者自身でも行えるものである。例えば、図８のような部屋に組立て配置した場合には、天板３を前記四箇所のうち壁側に取り付けることはできないので、壁側と逆側に天板３をつける。図８においては、窓からの自然光の採光を考慮して窓側の位置に天板３を取り付けることとした。
【００２１】
机の使用は簡単であり、通常収納状態でベッド１下にあるαの状態の天板３を、使用の必要に応じて、引き出すことで枢着部分を中心に天板が回動しβの状態になる。ここでの回動は枢着部分の構造と、キャスター付脚４により円滑に行われる。また、使用後は、天板３をベッド１下方向に押し込むことで枢着部分を中心に先程とは逆方向に回動し、元のαの状態となる。
【００２２】
このように本実施形態に係る机付ベッドによれば、前記空き空間２上部に所定形状の天板３を水平方向に回動可能に枢着しているので、使用者が必要に応じて天板３を引き出すことで枢着部分を中心として天板３がベッド下から表出して机として機能すると共に、使用後においては天板３を押し込むことで枢着部分を中心として天板３がベッド１下に収納され、ベッド１下の空き空間２を有効に使用することができる。また、前記下段の空き空間２上部の四隅に前記天板３を取り付け可能であるので、机付ベッドの配置位置に応じて前記四隅の内適切な箇所に天板３を取り付けることができる。また、枢着部分を中心とした場合の前記天板３の外周端方向であって底面側にキャスター付き脚４を配設したので、天板３が枢着部分以外に脚でも支持され安定した回動及び使用ができると共に、キャスター４ｂが付いており円滑に回動して床にキズを形成することもない。また、前記天板３に挿通孔３ａを形成し、前記ベッド本体１の上段ベッド下面に他端側である先端部にボルト穴５ａを有する支持軸５の一端側である基端部を固着し、前記支持軸５を天板３の挿通孔３ａに挿通させてボルト穴５ａにボルト５ｂを螺合して前記天板３をベッド本体１に枢着しているので、前記支持軸５がボルト５ｂによって螺合され、鉛直下方向に延出しておらず、下段の空き空間を最大限確保することができる。
【００２３】
（本発明の第２の実施形態）
本発明の第２の実施形態に係る机付ベッドについて、図９に基づき説明する。図９は本実施形態に係る机付ベッドの支持軸の要部拡大図である。
本実施形態に係る机付ベッドは、前記第１の実施形態に係る机付ベッドと同様に構成され、前記天板３の枢着部分が机付ベッド本体部分から脱着可能であることを異にする構成である。
【００２４】
脱着可能な構造としては、ネジで締める方式のもの、係合させるもの等で支持軸５を構成しても実現できるが、本実施形態では、図９に示すようにワンタッチ構造とする。このワンタッチ構造は、支持軸５を上部５ｃと下部５ｄに分け、それぞれ爪部５ｅ、５ｆを有し、この上部爪部５ｅが傾動部分に対して外力が加わると支持軸上部５ｃの内壁側に埋没し、外力がなくなると再び突出する構成である。このように外力の有無によって上部爪部５ｅを没入、突出させる構造としては、スプリングを支持軸上部５ｃの厚み部分に配置することで容易に実現することができる。また、上部爪部５ｅは、凸部５ｇを押下することでも前記同様に没入し、凸部５ｇの押下がなくなると再び突出する。
【００２５】
以上のような支持軸５の構成の場合には、前記第１の実施形態のように、天板３と支持軸５とを最後にボルトを締めて取り付ける構成よりも、前記支持軸下部５ｄは始めから天板３とボルトにより固定されている構成が望ましい。
【００２６】
また、前記支持軸上部５ｃは、前記支持軸５の一端側と同様に支持板１１と正面横板１４に沿ってコーナー金部の如く形成され、ネジにて固定されている。そして、空き空間２の４箇所全てにこの支持軸上部５ｃを取り付けることで、ワンタッチ構造を用いて４箇所全てに天板３を脱着可能に迅速に取り付けることができる。
【００２７】
このように本実施形態に係る机付ベッドによれば、前記天板３の枢着部分が机付ベッド本体部分から脱着可能であるので、机付ベッドの机部分の組立／解体が容易であると共に、複数箇所に天板３が取り付け可能であるため取り付け箇所を容易に変更することができる。
【００２８】
（その他の実施形態）
前記各実施形態に係る机付ベッドにおいては、前記支持軸５は、支持軸本体、ワッシャー及びボルト５ｂからなっていたが、図１０に示すように、支持軸５が挿通可能な孔を有する中空軸５ｈと、この中空軸５ｈの孔の一部のめねじに螺合可能なおねじを有して中空軸を受ける中空軸受５ｉとを備え、この中空軸５ｈが挿通可能に挿通孔３ａを形成した構成にすることもでき、支持軸５自体が直接天板３と接触しながら回動する場合と比べ、さらに、中空円筒の中空軸５ｈを介在させて天板３が回動しており、円滑な回動を実現することができる。
【００２９】
前記記載の図１０の構成の支持軸５の平面図及び正面図がそれぞれ図１１（ａ１）及び（ａ２）に記載されるものであるが、図１１（ｂ１）及び（ｂ２）に示すように、前記支持軸５の一端側とその他の部分とを分け、支持軸５のその他の部分の上部側端を水平方向の２方向に突出した構成とし、支持軸５の一端側の底面には支持軸５のその他の部分の上部側端が挿通可能に支持軸５のその他の部分の上部側端を形取った穴が形成された構成にすることもでき、支持軸５のその他の部分の上部側端をこの穴に挿通させた後、支持軸５の長軸を軸として９０［度］回転させ、支持軸５のその他の部分の上部側端の突出部分を支持軸５の一端側の底面で支持して取り付けを行うこともでき、挿通及び回転で容易且つ迅速に取り付けを完了させることができる。ここで、天板３の回動に伴って支持軸５のその他の部分の上部側端の突出部分が回転すると、天板３が外れてしまう可能性があるため、取り付けるの挿通及び回転後に回転しないように係合構造を形成することが好ましい。
【００３０】
また、前記記載の図１０の構成の支持軸５の平面図及び正面図がそれぞれ図１１（ａ１）及び（ａ２）に記載されるものであるが、図１１（ｃ１）及び（ｃ２）に示すように、支持軸５の一端側と中空軸５ｈを一体的に形成した構成にすることもできる。
【図面の簡単な説明】
【００３１】
【図１】本発明の第１の実施形態に係る実施形態に係る机付ベッドの全体斜視図である。
【図２】本発明の第１の実施形態に係る実施形態に係る机付きベッドの要部斜視図である。
【図３】本発明の第１の実施形態に係る実施形態に係る机付きベッドの要部斜視図である。
【図４】本発明の第１の実施形態に係る机付ベッドの平面図、正面図、右側面図及び透過図である。
【図５】本発明の第１の実施形態に係る机付ベッドの天板部分の平面図、正面図、裏面図及び右側面図である。
【図６】本発明の第１の実施形態に係る机付ベッドの床板及び梯子の図である。
【図７】本発明の第１の実施形態に係る机付ベッドの横板説明図である。
【図８】本発明の第１の実施形態に係る机付ベッドの配置図である。
【図９】本発明の第２の実施形態に係る机付ベッドの支持軸の要部拡大図である。
【図１０】本発明のその他の実施形態に係る机付ベッドの支持軸の分解斜視図である。
【図１１】本発明のその他の実施形態に係る机付ベッドの支持軸の平面図及び正面図である。
【符号の説明】
【００３２】
１  ベッド
２  空き空間
３  天板
３ａ  挿通孔
４  脚
４ａ  軸部
４ｂ  キャスター
５  支持軸
５ａ  ボルト穴
５ｂ  ボルト
５ｃ  支持軸上部
５ｄ  支持軸下部
５ｅ  上部爪部
５ｆ  下部爪部
５ｇ  凸部
５ｈ  中空軸
５ｉ  中空軸受
５ｋ  突出部分
１０  側面横板
１１  支持板
１２  柵ポール
１３  側面部
１４  正面横板
１５  裏面横板
１６  固定板
１７  床板凸部
１８  掛ポール
１９  床板
１９ａ  間柱
３０  梯子
３０ａ  係合部
【図１】
2006102341.tif 000003
【図２】
2006102341.tif 000004
【図３】
2006102341.tif 000005
【図４】
2006102341.tif 000006
【図５】
2006102341.tif 000007
【図６】
2006102341.tif 000008
【図７】
2006102341.tif 000009
【図８】
2006102341.tif 000010
【図９】
2006102341.tif 000011
【図１０】
2006102341.tif 000012
【図１１】
2006102341.tif 000013